(57)【要約】【課題】  回転電機において、口出線の取出方向の変更に対応することができる構造を提供する。【解決手段】  ハウジング２に固定されたエンドブラケット３Ｂと、ハウジング内に設けたステータ５とロータ６を有する回転電機において、エンドブラケット３Ｂの周囲に接続片を等ピッチで設け、ハウジング２の端部の周囲に接続片を等ピッチで設け、エンドブラケットの回転軸中心から偏った位置に口出線取出口７１を設け、エンドブラケットの接続片とハウジングの接続片によって両者を固定する。【選択図】        図１
2006191719.tif 000002
【特許請求の範囲】
【請求項１】
ハウジングに固定されたエンドブラケットと、ハウジング内に設けたステータとロータを有する回転電機において、
前記エンドブラケットの周囲に接続片を等ピッチで設け、
前記ハウジングの端部の周囲に接続片を等ピッチで設け、
前記エンドブラケットの回転軸中心から偏った位置に口出線取出口を設け、
エンドブラケットとハウジング接続片によって両者を固定することを特徴とする回転電機。
【請求項２】
請求項１記載の回転電機において、エンドブラケットの接続片を設けるピッチと、ハウジングの接続片を設けるピッチを、等しいか整数倍の関係にしたことを特徴とする回転電機。
【発明の詳細な説明】
【技術分野】
【０００１】
本発明は、回転電機に係わり、回転電機のステータに電源を供給するための口出線を有しハウジングと一体の足にて機械等に固定される回転電機の構造の改良に関するものである。
【背景技術】
【０００２】
一般の回転電機においては、図４に示すように、口出線を経由してステータに電源が供給されるように構成されている。すなわち、回転電機は、ハウジング２の内周部にステータ５が取付けられ、シャフト４の外周部のステータ５と対向する位置にロータ６が取り付けられている。シャフト４の両端部にはエンドブラケット３Ａ、３Ｂに軸受９を介し支えられ一方のブラケット３Ａから突出する先端部が出力軸をなしている。エンドブラケット３Ａ、３Ｂは、ハウジング２の軸方向の両端部に固定され、ハウジング２の軸方向の開口部を塞いでいる。口出線１の一端は、ステータコイル８に接続されるとともに、他端がハウジング２に取付けられた端子箱７の中で電源と接続されている。
【０００３】
回転電機の口出線をエンドブラケットから取り出すことは、既に知られている（例えば、特許文献１参照）。しかしながら、この技術は、口出線の取出方向を変更可能とすることは考えていない。
【特許文献１】特開２００３−２３７４５号公報
【発明の開示】
【発明が解決しようとする課題】
【０００４】
このような回転電機を現地に設置する場合に、足取付けの回転電機の場合、設置場所によっては、口出線の取り出し方向を変更することが必要となるが、端子箱７がハウジング２の特定の箇所に固定されているため、口出線の取出方向の変更に対応することは困難である。
【０００５】
本発明は、上記問題にかんがみ、回転電機において、口出線の取出方向の変更に対応することができる構造を提供することを目的とする。
【課題を解決するための手段】
【０００６】
上記課題を解決するために、本発明は、ハウジングと一体の脚部にて機械等に固定される回転電機であって、エンドブラケットを一定のピッチでハウジング端部に固定し、エンドブラケットの中心から変位した部分に口出線の取出部を設けた。
【０００７】
すなわち、本発明は、ハウジングに固定されたエンドブラケットと、ハウジング内に設けたステータとロータを有する回転電機において、前記エンドブラケットの周囲に接続片を等ピッチで設け、前記ハウジングの端部の周囲に接続片を等ピッチで設け、前記エンドブラケットの回転軸中心から偏った位置に口出線取出口を設け、エンドブラケットとハウジング接続片によって両者を固定するようにした。さらに、本発明は、上記回転電機において、エンドブラケットの接続片を設けるピッチと、ハウジングの接続片を設けるピッチを、等しいか整数倍の関係にした。
【０００８】
（作用）
上記の構造とすることによって、エンドブラケットを回転させて所定の箇所で固定することによって、口出線の取出方向を、現地で容易に変更することができる。
【発明の効果】
【０００９】
エンドブラケットを回転させることで、口出線の取出方向を変更することが可能となり、回転電機の設置の自由度を向上させることができる。
【発明を実施するための最良の形態】
【００１０】
本発明にかかる回転電機の構造および口出線の取出方法を、図１〜図３を用いて説明する。本発明にかかる回転電機は、ハウジング２の内周部にステータ５が取付けられ、シャフト４の外周部のステータ５と対向する位置にロータ６が取り付けられている。シャフト４の両端部にはエンドブラケット３Ａ、３Ｂに軸受９を介し支えられ一方のブラケット３Ａから突出する先端部が出力軸をなしている。エンドブラケット３Ａ、３Ｂは、ハウジング２の軸方向の両端部に固定され、ハウジング２の軸方向の開口部を塞いでいる。口出線１の一端は、ステータコイル８に接続されるとともに、他端がエンドブラケット３Ｂの口出線取出口７１に設けた端子箱７の中で電源と接続されている。
【００１１】
本発明では、エンドブラケット３Ｂには、その周囲に一定のピッチで設けた接続片３１が複数個設けられるとともに、口出線取出口７１の周辺に端子箱７が設置されている。電源と接続される口出線１がエンドブラケット３Ｂを通ってステータ５のステータコイル８と接続されるようになっている。
【００１２】
エンドブラケット３Ｂは、周囲に等ピッチで設けた３個以上の接続片３１により該接続片３１と等ピッチに設けたハウジング２の端部の周囲に設けた接続片にボルト止めされている。口出線取出口７１はエンドブラケット３Ｂの回転軸中心から偏った位置に設けられている。
【００１３】
エンドブラケットの接続片を設けるピッチと、ハウジングの接続片を設けるピッチを、等しいか整数倍の関係にすることにより、口出線取出方向をきめ細かに調整することができる。
【００１４】
ハウジング２は、取付固定用の足１０で機械に固定されるが、エンドブラケット３Ｂは、取付ボルトをはずすことで回転することができる。これにより口出線１の取出方向をエンドブラケットの取付ピッチに従って変更することができる。
【００１５】
図２に示すように、口出線を図の左方向へ取り出す場合は、端子箱７が左側にあるようにエンドブラケット３Ｂを回転させてからハウジング２に固定すればよい。また、図３に示すように、口出線を図の右方向へ取り出す場合は、端子箱７が右側にあるようにエンドブラケット３Ｂを回転させてからハウジング２に固定すればよい。
【００１６】
このように、口出線の取出方向に自由度を持たせるためには、口出線１は、エンドブラケット３の回転に対応できるように、充分な長さとすることが必要である。
【００１７】
以上のように、本発明によれば、例えば、電動機据付けの際、急に現地で口出線取出方向の変更が必要となった場合も、現地での対応が可能となる。
【図面の簡単な説明】
【００１８】
【図１】本発明にかかる回転電機の構造を説明する断面図。
【図２】本発明にかかる回転電機における口出線の取出方向を説明する図。
【図３】本発明にかかる回転電機における口出線の取出方向の他の態様を説明する図。
【図４】従来の回転電機の構造を説明する断面図。
【符号の説明】
【００１９】
１：口出線、２：ハウジング、３：エンドブラケット、４：シャフト、５：ステータ、６：ロータ、７：端子箱、８：ステータコイル、９：軸受、３１：接続片、７１：口出線取り出口
【図１】
2006191719.tif 000003
【図２】
2006191719.tif 000004
【図３】
2006191719.tif 000005
【図４】
2006191719.tif 000006